(57)【要約】  【課題】  正確なランプの寿命をカウントする投射型映像装置を提供することである。  【解決手段】  投射型映像装置１０は、光源となるランプ１１と、ランプ１１を冷却するファン１３と、装置全体の電源を管理する電源回路１５と、電源プラグ１６と、電源回路１５と電源プラグ１６との間に設けられたメインスイッチ１７と、ランプ１１の使用時間をカウントする使用時間メモリ１９と、ランプ１１を消灯させる消灯キー２０とを備え、メインスイッチ１７がオン状態ではファン１３が駆動し続け、消灯キー２０が押下された場合、ランプ１１の実働時間を使用時間メモリ１９でカウントし、消灯キー２０の押下前にメインスイッチ１７で電源が切断された場合、又は消灯キー２０の押下後であって一定時間経過前にメインスイッチ１７で電源が切断された場合、ランプ１１の実働時間に所定時間加算した時間を前記使用時間メモリ１９でカウントする構成とする。【選択図】      図１
2006011080.tif 000002
【特許請求の範囲】
【請求項１】
光源となるランプと、該ランプを制御するランプ制御回路と、前記ランプを冷却するフ
ァンと、該ファンを制御するファン制御回路と、装置全体の電源を管理する電源回路と、
電源プラグと、前記電源回路と前記電源プラグとの間に設けられたメインスイッチと、各
種回路を制御するシステム回路と、該システム回路に内蔵され前記ランプの使用時間をカ
ウントする使用時間メモリと、前記ランプを消灯させる消灯キーとを備えた投射型映像装
置において、
前記メインスイッチがオン状態では前記ファンが駆動し続け、
前記消灯キーが押下された場合、前記ランプの実働時間を前記使用時間メモリでカウン
トし、
前記消灯キーの押下前に前記メインスイッチで電源が切断された場合、又は前記消灯キ
ーの押下後であって一定時間経過前に前記メインスイッチで電源が切断された場合、前記
ランプの実働時間に所定時間加算した時間を前記使用時間メモリでカウントすることを特
徴とする投射型映像装置。
【請求項２】
光源となるランプと、該ランプを冷却するファンと、前記ランプの使用時間をカウント
するカウンタと、前記ランプを消灯させる消灯キーと、電源を入切するメインスイッチと
を備えた投射型映像装置において、
前記消灯キーが押下された場合、少なくとも前記ファンは一定時間以上駆動し続け、前
記ランプの実働時間を前記カウンタでカウントし、
前記消灯キーの押下前に前記メインスイッチで電源が切断された場合、前記ランプの実
働時間に所定時間加算した時間を前記カウンタでカウントすることを特徴とする投射型映
像装置。
【請求項３】
前記消灯キーの押下後であって前記一定時間経過前に前記メインスイッチで電源が切断
された場合、前記ランプの実働時間に所定時間加算した時間を前記カウンタでカウントす
ることを特徴とする請求項２記載の投射型映像装置。
【発明の詳細な説明】
【技術分野】
【０００１】
本発明は、光源に水銀灯等のランプを用いた投射型映像装置に関するものである。
【背景技術】
【０００２】
投射型映像装置は光源として水銀灯等のランプが使用されている。このランプの光が強
い程鮮明な画像が投射できるのでランプの出力を上げることが望ましい。しかし、ランプ
の出力を上げるとランプの寿命が短くなるという問題がある。従って、ランプがいつ切れ
るかという心配が生じる。そこで、一般的な投射型映像装置にはランプの使用時間を計測
するカウンタが備えられている。
【０００３】
例えば特許文献１には、光源用ランプの累積使用時間と装置の使用時間とを計測するた
め２個のタイマを内蔵している背面投射型映像装置が開示されている。
【０００４】
また特許文献２には、ランプの点灯時間を認識するためのカウンタを有し、点灯電流が
流れている時間に対応した電流パルスを端子から出力し、メモリは、電流パルスによりラ
ンプの点灯時間を計数する液晶プロジェクタが開示されている。
【特許文献１】特開平９−１３０７１１号公報
【特許文献２】特開２０００−２６７０６１号公報
【発明の開示】
【発明が解決しようとする課題】
【０００５】
しかしながら、特許文献１や特許文献２ではランプの使用時間をカウントするのみであ
り、使用状況は考慮されていない。ランプの寿命は使用状況によって異なる。例えば、ラ
ンプの消灯後に冷却ファンで冷却すれば長寿命となり、ランプの消灯後に自然冷却されれ
ば短寿命となる。
【０００６】
そのため、正確なランプ寿命を算出するにはランプ消灯後の冷却方法に応じて使用時間
をカウントする必要がある。
【０００７】
本発明は、正確なランプの寿命をカウントする投射型映像装置を提供することを目的と
する。
【課題を解決するための手段】
【０００８】
上記目的を達成するために本発明は、光源となるランプと、該ランプを制御するランプ
制御回路と、前記ランプを冷却するファンと、該ファンを制御するファン制御回路と、装
置全体の電源を管理する電源回路と、電源プラグと、前記電源回路と前記電源プラグとの
間に設けられたメインスイッチと、各種回路を制御するシステム回路と、該システム回路
に内蔵され前記ランプの使用時間をカウントする使用時間メモリと、前記ランプを消灯さ
せる消灯キーとを備えた投射型映像装置において、前記メインスイッチがオン状態では前
記ファンが駆動し続け、前記消灯キーが押下された場合、前記ランプの実働時間を前記使
用時間メモリでカウントし、前記消灯キーの押下前に前記メインスイッチで電源が切断さ
れた場合、又は前記消灯キーの押下後であって一定時間経過前に前記メインスイッチで電
源が切断された場合、前記ランプの実働時間に所定時間加算した時間を前記使用時間メモ
リでカウントすることを特徴とする。
【０００９】
また本発明は、光源となるランプと、該ランプを冷却するファンと、前記ランプの使用
時間をカウントするカウンタと、前記ランプを消灯させる消灯キーと、電源を入切するメ
インスイッチとを備えた投射型映像装置において、前記消灯キーが押下された場合、少な
くとも前記ファンは一定時間以上駆動し続け、前記ランプの実働時間を前記カウンタでカ
ウントし、前記消灯キーの押下前に前記メインスイッチで電源が切断された場合、前記ラ
ンプの実働時間に所定時間加算した時間を前記カウンタでカウントすることを特徴とする
。
【００１０】
上記の投射型映像装置において、前記消灯キーの押下後であって前記一定時間経過前に
前記メインスイッチで電源が切断された場合、前記ランプの実働時間に所定時間加算した
時間を前記カウンタでカウントすることを特徴とする。
【発明の効果】
【００１１】
本発明によると、ランプが消灯後にファンで一定時間以上十分に冷却されたか否かによ
って、短くなった寿命分（所定時間）だけ使用時間メモリに加算することで、正確なラン
プの寿命をカウントすることができる。
【発明を実施するための最良の形態】
【００１２】
図１は、投射型映像装置の要部の構成を示すブロック図である。投射型映像装置１０は
、映像を投射するための光源となるランプ１１と、ランプ１１の駆動を制御するランプ制
御回路１２と、ランプ１１を冷却するファン１３と、ファン１３の駆動を制御するファン
制御回路１４と、投射型映像装置１０全体の電源を管理する電源回路１５と、電源回路１
５と電源プラグ１６との間に設けられたメインスイッチ１７と、ランプ制御回路１２、フ
ァン制御回路１４、電源回路１５等の各種回路を制御するシステム回路１８と、システム
回路１８に内蔵されランプ１１の使用時間をカウントする使用時間メモリ１９と、ランプ
１１を消灯させる消灯キー２０とを備えている。
【００１３】
ランプ１１としては水銀灯など高出力のランプを用いることができる。高出力になるに
したがって発熱量も多くなるので点灯時は常にファン１３で冷却される。消灯後もファン
１３で十分に冷却することがランプ１１の長寿命化に繋がる。
【００１４】
ファン１３はランプ１１だけでなく投射型映像装置１０内の他の部材の冷却を兼用して
もよい。他の部材の冷却も行う場合、ファン１３はメインスイッチ１７がオン状態のとき
は常に駆動される。またランプ１１の冷却のみを行う場合、ファン１３はランプ１１の点
灯中と消灯後の一定時間駆動される。なお、メインスイッチ１７がオフ状態の時はファン
１３も停止する。
【００１５】
図２は、投射型映像装置１０の動作を示すフローチャートである。まず、電源プラグ１
６が接続されて、ステップＳ１０においてメインスイッチ１７がオン状態にされると、
ランプ１１が点灯する。なお、ランプ１１は点灯キーを別に設けて、それが押下されるこ
とにより点灯させてもよい。
【００１６】
続いてステップＳ１１へ進んでファン１３が駆動する。その後、ステップＳ１２で消灯
キー２０が押下されたか否かを判別する。ステップＳ１２で消灯キー２０が押下された場
合、ステップＳ１３へ進んでランプ１１を消灯させる。そしてステップＳ１４においてラ
ンプ１１消灯後から一定時間経過したか否かを判別する。ここで一定時間とは、ランプ１
１が十分に冷却される時間であり、１〜５分間が好ましく、２分間が最も好ましい。
【００１７】
ステップＳ１４において一定時間経過している場合は、ランプ１１が十分に冷却されて
いると判断してステップＳ１５へ進んでランプ１１の実働時間（実際の点灯時間）を使用
時間メモリ１９に積算する。その後、ステップＳ１６においてメインスイッチ１７がオフ
状態にされると、ステップＳ１７へ進んでファン１３を停止させ、ステップＳ１８で電源
をオフにする。
【００１８】
一方、ステップＳ１４において一定時間経過していない場合は、ランプ１１が十分に冷
却されていないと判断してステップＳ１９へ進んでメインスイッチ１７が押下されるか否
かを判別する。ステップＳ１９においてメインスイッチ１７が押下されない場合はステッ
プＳ１４に戻る。一方、ステップＳ１９においてメインスイッチ１７が押下された場合は
、ステップＳ２２へ進む。ステップＳ２２以降は後述する。
【００１９】
ところでステップＳ１２で消灯キー２０が押下されない場合、ステップＳ２０へ進んで
メインスイッチ１７が押下されるか否かを判別する。ステップＳ２０においてメインスイ
ッチ１７が押下されない場合はステップＳ１２に戻る。一方、ステップＳ２０においてメ
インスイッチ１７が押下された場合は、ステップＳ２１へ進んでランプ１１を消灯させる
。その後、ステップＳ２２へ進んでファン１３を停止させ、ステップＳ２３へ進む。
【００２０】
ステップＳ２３では、ランプ１１の実働時間に所定時間加算した時間を使用時間メモリ
１９に積算する。その後ステップＳ１８へ進んで電源をオフにする。このように処理され
るのは、消灯キー２０の押下前にメインスイッチ１７がオフにされたか、又は消灯キー２
０の押下後であって一定時間経過前にメインスイッチ１７がオフにされたかのどちらかで
ある。そのため、ランプ１１が十分に冷却される前にファン１３が停止しているのでラン
プ１１は自然冷却されることになり、寿命が短くなる。従って、ランプ１１の消灯後にフ
ァン１３で一定時間以上十分に冷却した場合よりも短くなった寿命分（所定時間）だけ使
用時間メモリ１９に加算することで、正確なランプの寿命をカウントすることができる。
ここで所定時間は、例えば、寿命が４０００時間のランプに対して１時間が適切である。
【００２１】
上記では、ランプ１１の消灯後の一定時間経過前にメインスイッチ１７をオフにした場
合に加算する所定時間と、ランプ１１の点灯中にメインスイッチ１７をオフにした場合に
加算する所定時間とを同じにしたが、ランプ１１の消灯後の一定時間経過前にメインスイ
ッチ１７をオフにした場合は、ランプ１１消灯後のファン１３で冷却している時間が長く
なるに従って加算する時間を少なくするようにしてもよい。これにより、ランプ１１があ
る程度までファン１３で冷却された後にメインスイッチ１７がオフにされた場合でも、そ
の効果に相当する寿命を正確にカウントすることができる。
【００２２】
なお、上記の実施形態では使用時間メモリ１９に使用時間を積算したが、設定された寿
命から使用時間を減算した値、つまり残りの寿命を記憶するようにしてもよい。
【００２３】
また、上記の実施形態では、メインスイッチ１７のオン状態では常にファン１３が駆動
している仕様について説明したが、ファン１３は消灯キー２０の押下後、一定時間経過す
ると停止させるようにしてもよい。
【００２４】
また、ランプ１１の寿命が近づいた際には「ランプ要交換」等のランプ交換を促すメッ
セージを出力して画面に表示させ、設定された寿命に到達した際にはランプ１１が点灯し
ないように制御することで、鮮明な映像を保つことができる。
【産業上の利用可能性】
【００２５】
本発明の投射型映像装置は、ランプの光源を用いて映像を投射する装置に広く利用する
ことができる。
【図面の簡単な説明】
【００２６】
【図１】投射型映像装置の要部の構成を示すブロック図である。
【図２】投射型映像装置の動作を示すフローチャートである。
【符号の説明】
【００２７】
１０    投射型映像装置
１１    ランプ
１２    ランプ制御回路
１３    ファン
１４    ファン制御回路
１５    電源回路
１６    電源プラグ
１７    メインスイッチ
１８    システム回路
１９    使用時間メモリ
２０    消灯キー
【図１】
2006011080.tif 000003
【図２】
2006011080.tif 000004